(57)【要約】【課題】  表示項目の拡大や縮小、配置変更、並べ替え等の自由度が高く、電子カルテを閲覧するための表示画面をより有効に活用することのできる診療情報表示装置を提供することを目的とする。【解決手段】  本発明は、患者の診療情報を表示する診療情報表示装置であって、表示画面は異なる種類の診療情報を表示する複数の表示領域から構成され、ユーザによる入力に応じて、選択された選択表示領域の表示位置を移動する表示位置移動手段と、選択表示領域の表示位置に応じて、配置先の配置位置を特定する第一の配置位置特定手段と、該配置位置に該選択表示領域を配置した場合に、他の表示領域と相互に重ならないように、他の表示領域の配置位置を調整する配置位置調整手段と、該配置位置に該選択表示領域を配置する選択表示領域配置手段とを備える診療情報表示装置に関する。【選択図】    図１
2018032107.tif 000002
【特許請求の範囲】
【請求項１】
医療機関における患者の診療情報を表示部に表示する診療情報表示装置であって、
表示部の表示画面は、異なる種類の診療情報を表示する複数の表示領域から構成され、
さらに、
ユーザによる操作の入力を受け付ける操作入力受付手段と、
操作入力受付手段により受け付けられた入力に応じて、複数の表示領域から任意の表示領域を選択する選択手段と、
操作入力受付手段により受け付けられた入力に応じて、選択手段により選択された選択表示領域の表示画面上での表示位置を移動する表示位置移動手段と、
表示位置移動手段により移動された選択表示領域の表示位置に応じて、該選択表示領域が配置される配置先の配置位置を特定する第一の配置位置特定手段と、
第一の配置位置特定手段により特定された該配置位置に該選択表示領域を配置した場合に、該選択表示領域と、他の表示領域とが相互に重ならないように、他の表示領域の配置位置を調整する配置位置調整手段と、
第一の配置位置特定手段により特定された該配置位置に該選択表示領域を配置する選択表示領域配置手段と
を備える診療情報表示装置。
【請求項２】
医療機関における患者の診療情報を表示部に表示する診療情報表示装置であって、
表示部の表示画面は、異なる種類の診療情報を表示する複数の表示領域から構成され、
さらに、
ユーザによる操作の入力を受け付ける操作入力受付手段と、
操作入力受付手段により受け付けられた入力に応じて、複数の表示領域から任意の表示領域を選択する選択手段と、
操作入力受付手段により受け付けられた入力に応じて、選択手段により選択された選択表示領域の表示画面上での表示形状及び／又は大きさを変更する表示形状変更手段と、
表示形状変更手段により変更された選択表示領域の表示形状及び／又は大きさと表示位置とに応じて、該選択表示領域が配置される配置先の配置位置を特定する第二の配置位置特定手段と、
第二の配置位置特定手段により特定された該配置位置に該選択表示領域を配置した場合に、該選択表示領域と、他の表示領域とが相互に重ならないように、他の表示領域の配置位置を調整する配置位置調整手段と、
第二の配置位置特定手段により特定された該配置位置に該選択表示領域を配置する選択表示領域配置手段と
を備える診療情報表示装置。
【請求項３】
配置位置調整手段が、
選択表示領域が配置位置に配置される前における他の表示領域の表示位置に応じて、他の表示領域のそれぞれについて優先順位を特定する優先順位特定手段と、
優先順位特定手段により特定された優先順位、並びに、他の表示領域の表示形状及び／又は大きさに従って、他の表示領域を、選択表示領域の配置位置以外の配置位置に再配置する再配置手段とからなることを特徴とする請求項１又は２に記載の診療情報表示装置。
【請求項４】
さらに、
前記表示領域の表示形状及び／若しくは大きさ、又は配置位置に関する配置情報を記憶する配置情報記憶手段と、
配置情報記憶手段に記憶された配置情報に基づいて、前記表示領域の表示形状及び／若しくは大きさ、又は配置位置を再現する配置再現手段と
を備えることを特徴とする請求項１〜３のいずれかに記載の診療情報表示装置。
【請求項５】
前記表示領域に表示される診療情報について、該診療情報に含まれる情報項目に基づいて、表示領域内での表示位置を並べ替える並べ替え手段をさらに備えることを特徴とする請求項１〜４のいずれかに記載の診療情報表示装置。
【請求項６】
コンピュータ装置を、
医療機関における患者の診療情報を表示部に表示する診療情報表示装置として機能させる診療情報表示プログラムであって、
表示部の表示画面は、異なる種類の診療情報を表示する複数の表示領域から構成され、
さらに、コンピュータ装置を、
ユーザによる操作の入力を受け付ける操作入力受付手段と、
操作入力受付手段により受け付けられた入力に応じて、複数の表示領域から任意の表示領域を選択する選択手段と、
操作入力受付手段により受け付けられた入力に応じて、選択手段により選択された選択表示領域の表示画面上での表示位置を移動する表示位置移動手段と、
表示位置移動手段により移動された選択表示領域の表示位置に応じて、該選択表示領域が配置される配置先の配置位置を特定する第一の配置位置特定手段と、
第一の配置位置特定手段により特定された該配置位置に該選択表示領域を配置した場合に、該選択表示領域と、他の表示領域とが相互に重ならないように、他の表示領域の配置位置を調整する配置位置調整手段と、
第一の配置位置特定手段により特定された該配置位置に該選択表示領域を配置する選択表示領域配置手段
として機能させる、診療情報表示プログラム。
【請求項７】
コンピュータ装置を、
医療機関における患者の診療情報を表示部に表示する診療情報表示装置として機能させる診療情報表示プログラムであって、
表示部の表示画面は、異なる種類の診療情報を表示する複数の表示領域から構成され、
さらに、コンピュータ装置を、
ユーザによる操作の入力を受け付ける操作入力受付手段と、
操作入力受付手段により受け付けられた入力に応じて、複数の表示領域から任意の表示領域を選択する選択手段と、
操作入力受付手段により受け付けられた入力に応じて、選択手段により選択された選択表示領域の表示画面上での表示形状及び／又は大きさを変更する表示形状変更手段と、
表示形状変更手段により変更された選択表示領域の表示形状及び／又は大きさと表示位置とに応じて、該選択表示領域が配置される配置先の配置位置を特定する第二の配置位置特定手段と、
第二の配置位置特定手段により特定された該配置位置に該選択表示領域を配置した場合に、該選択表示領域と、他の表示領域とが相互に重ならないように、他の表示領域の配置位置を調整する配置位置調整手段と、
第二の配置位置特定手段により特定された該配置位置に該選択表示領域を配置する選択表示領域配置手段
として機能させる、診療情報表示プログラム。
【発明の詳細な説明】
【技術分野】
【０００１】
本発明は、医療機関において電子カルテに記載された診療情報を閲覧する診療情報表示装置、及び、診療情報表示プログラムに関する。
【背景技術】
【０００２】
１９９９年に当時の厚生省から、医療機関への電子カルテの導入についての認可が下り、近年になってようやくその導入が広がってきている。しかし、依然として電子カルテの導入を見送っている医療機関も少なくない。このような医療機関が電子カルテの導入を躊躇する要因の一つとして、電子カルテの使い勝手の悪さが挙げられる。医療機関で行われる診療に際して、参照が必要な多くの情報を、いかに利便性良く閲覧することできるかという点において、依然として電子カルテシステムには改善の余地が残されている。
【０００３】
医療従事者が診療に際して参照しなくてはならない診療情報は、非常に多種にわたり、且つ、それぞれの情報量も多いものである。こうした医療従事者が参照する情報は、同じ医療従事者が診療を行う場合であっても、患者や患者の疾病等によってそれぞれ異なるものであるため、電子カルテに記載された情報から、その診療のために必要な情報のみを見やすいようにすることは、従来の電子カルテシステム等では非常に困難であった。例えば、従来の電子カルテシステム等においては、決まったレイアウト上に多種多様な情報を詰め込み、表示する情報を数多くの切替ボタン等で切り替えられるようにするといった表示方法が一般的であり、医療従事者にとっては利便性が低く、使い勝手の悪いものであった。
【０００４】
その上、医療機関に設けられている電子カルテ情報の表示装置は、一般に高価であるために、各医療従事者専用にそれぞれ１台ずつ準備できるようなものではなく、多くの場合、複数の医療従事者が共用するものである。同じ電子カルテ表示装置を用いる医療従事者によって、見やすい表示方法は異なるため、表示装置を利用する医療従事者が変わると、診療情報の視認性がその都度悪化してしまうという問題があった。
【０００５】
上記のような課題を解決するものとして、例えば、処方などの診療情報を表示する、複数の互いに独立した表示領域を設け、これら複数の表示領域の構成や、各表示領域にどのように診療情報を表示するか等の設定を予め設けておき、これを医療従事者が選択できるようにすることで、医療従事者それぞれの仕事のスタイルに合った画面構成を提供できる電子カルテの表示方法及び表示装置が提案されている（例えば、特許文献１参照）。
【０００６】
しかし、こうした従来の表示方法や表示装置においては、医療従事者が診療情報を見やすいように予め設定された表示形式に関する設定を呼び出すだけのものであったため、画面構成や表示領域の配置などを、医療従事者にとって使いやすいものに自由に、また、簡便に変更できるものではなかった。また、複数の表示領域相互の重なりが発生することにより視認できない診療情報が発生したり、表示領域間に無駄な間隙ができたりしてしまうため、表示画面に数多くの診療情報を同時に配置すると、その視認性が悪くなるという問題があった。また、表示形式を医療従事者にとって使い勝手の良いものに変更するためには、表示形式に関する設定を新たに定義しなくてはいけない等、コンピュータに詳しくない医療従事者などにとってその変更は容易ではなく、多忙な業務の中で、見やすい表示画面を簡便に得ることはできないという問題があった。
【先行技術文献】
【特許文献】
【０００７】
【特許文献１】特開２００４−１７８４３５号公報
【発明の概要】
【発明が解決しようとする課題】
【０００８】
上述したように、従来の技術においては、電子カルテの表示画面を医療従事者にとって使い勝手の良い構成とするための、表示項目の拡大や縮小、配置変更、並べ替え等の自由度が低いという課題があった。また、そのような医療従事者にとって使い勝手の良い表示画面のレイアウト変更を簡便な操作で実現することができず、医療従事者の利便性が十分でないという課題があった。
【０００９】
また、医療機関にとっては、電子カルテ閲覧の利便性を向上するための一つの方法として、マルチディスプレイの導入が挙げられるが、導入費用が高価であり、且つ、設置場所を要するため、好ましい方法ではなく、電子カルテを閲覧するための表示画面を如何に有効活用するかという点で、より優れた技術が求められているという課題があった。
【００１０】
本発明は、このような課題を解決するためのものであり、表示項目の拡大や縮小などの表示形状変更、配置変更、並べ替え等の自由度が高く、且つ、ニーズに合わせた表示画面を簡便な操作で得ることができ、電子カルテを閲覧するための表示画面をより有効に活用することのできる診療情報表示装置を提供することを目的とする。
【課題を解決するための手段】
【００１１】
本発明は、医療機関における患者の診療情報を表示部に表示する診療情報表示装置であって、表示部の表示画面は、異なる種類の診療情報を表示する複数の表示領域から構成され、さらに、ユーザによる操作の入力を受け付ける操作入力受付手段と、操作入力受付手段により受け付けられた入力に応じて、複数の表示領域から任意の表示領域を選択する選択手段と、操作入力受付手段により受け付けられた入力に応じて、選択手段により選択された選択表示領域の表示画面上での表示位置を移動する表示位置移動手段と、表示位置移動手段により移動された選択表示領域の表示位置に応じて、該選択表示領域が配置される配置先の配置位置を特定する第一の配置位置特定手段と、第一の配置位置特定手段により特定された該配置位置に該選択表示領域を配置した場合に、該選択表示領域と、他の表示領域とが相互に重ならないように、他の表示領域の配置位置を調整する配置位置調整手段と、第一の配置位置特定手段により特定された該配置位置に該選択表示領域を配置する選択表示領域配置手段とを備える診療情報表示装置に関する。
【００１２】
本発明によれば、医療機関において診療を行う際など、医療従事者が患者の診療情報を閲覧する際に閲覧する様々な種類の診療情報は、表示画面上に複数設けられた、それぞれ異なる表示領域に表示される。これらの表示領域は、医療従事者にとって診療情報が見やすくなるように、その配置位置を自由に並べ替えることができる。つまり、表示画面上で各診療情報を表示する表示領域について、その位置を変更したり、それらの配置を並べ替えたりする自由度の高い診療情報表示装置を提供できるため、多くの診療情報を並列的に閲覧する際の医療従事者の利便性を高めることができる。さらに、この並べ替えの際には、表示領域が相互に重なることの無いように自動的に配置位置が調整されるため、医療従事者は、視認性の良い表示画面を簡便に得ることができる。このように、多忙な医療従事者の手間を省いて利便性を高めることができ、且つ、限られた表示画面上のスペースを有効に活用することができる。
【００１３】
また、本発明は、医療機関における患者の診療情報を表示部に表示する診療情報表示装置であって、表示部の表示画面は、異なる種類の診療情報を表示する複数の表示領域から構成され、さらに、ユーザによる操作の入力を受け付ける操作入力受付手段と、操作入力受付手段により受け付けられた入力に応じて、複数の表示領域から任意の表示領域を選択する選択手段と、操作入力受付手段により受け付けられた入力に応じて、選択手段により選択された選択表示領域の表示画面上での表示形状及び／又は大きさを変更する表示形状変更手段と、表示形状変更手段により変更された選択表示領域の表示形状及び／又は大きさと表示位置とに応じて、該選択表示領域が配置される配置先の配置位置を特定する第二の配置位置特定手段と、第二の配置位置特定手段により特定された該配置位置に該選択表示領域を配置した場合に、該選択表示領域と、他の表示領域とが相互に重ならないように、他の表示領域の配置位置を調整する配置位置調整手段と、第二の配置位置特定手段により特定された該配置位置に該選択表示領域を配置する選択表示領域配置手段とを備える診療情報表示装置に関する。
【００１４】
本発明によれば、医療従事者が患者の診療情報を閲覧する際に閲覧する様々な種類の診療情報は、表示画面上に複数設けられた、それぞれ異なる表示領域に表示される。医療従事者は、診療情報が見やすくなるように、これらの表示領域のそれぞれについて、その表示形状や大きさを自由に変更することができる。つまり、表示画面上で各診療情報を表示する表示領域について、その表示形状や大きさを変更する自由度の高い診療情報表示装置を提供できる。また、多くの診療情報について、閲覧の重要度に応じて診療情報の表示の大きさを変えたり、診療情報の種類に応じて表示形状を変えたりすることができる。このように、本発明によれば、医療従事者各々のニーズに合わせて診療情報を表示することができるため、医療従事者の利便性を高めることができる。さらに、この表示領域の表示形状や大きさの変更の際には、表示領域が相互に重なることの無いように自動的に配置位置が調整されるため、医療従事者が診療情報の表示を見やすくする際の手間を省いて利便性を高めることができ、且つ、限られた表示画面上のスペースを有効に活用することができる。
【００１５】
配置位置調整手段は、選択表示領域が配置位置に配置される前における他の表示領域の表示位置に応じて、他の表示領域のそれぞれについて優先順位を特定する優先順位特定手段と、優先順位特定手段により特定された優先順位、並びに、他の表示領域の表示形状及び／又は大きさに従って、他の表示領域を、選択表示領域の配置位置以外の配置位置に再配置する再配置手段とからなることが好ましい。
【００１６】
本発明の診療情報表示装置においては、医療従事者が診療情報を表示する表示領域を自由に移動させたり、表示領域の形や大きさを自由に変更することができる。この表示領域の配置移動や形状変更の際には、他の表示領域が自動的に整列される。この整列は、移動や変更の前の各表示領域の配置に関する優先順位に基づいて行われる。このため、医療従事者がある表示領域について移動や変更を行う際に、その操作により影響を受ける他の表示領域が存在する場合であっても、それら他の表示領域を移動させる等の操作を行う必要がなく、自動整列によって、元の配置関係を維持しつつ、相互に重ならず、且つ、無駄なスペースが生じることの無い、医療従事者が見やすい配置の表示画面を容易に実現することができる。つまり、診療情報の閲覧画面を見やすいものにするための操作の手間を省き、医療従事者の利便性を高め、且つ、限られた表示画面上のスペースを有効に活用することができる。
【００１７】
さらに、前記表示領域の表示形状及び／若しくは大きさ、又は配置位置に関する配置情報を記憶する配置情報記憶手段と、配置情報記憶手段に記憶された配置情報に基づいて、前記表示領域の表示形状及び／若しくは大きさ、又は配置位置を再現する配置再現手段とを備えることが好ましい。
【００１８】
医療従事者が診療情報を見やすいように、表示領域の形状、大きさ、配置位置などを変更した表示画面について、その表示設定を記憶させ、必要に応じてその表示設定を呼び出すことで、医療従事者にとって閲覧しやすい表示設定を容易に再現することができる。このため、診療情報を閲覧する医療従事者の利便性を高めることができる。これにより、例えば、医療従事者が閲覧しやすいように設定された表示設定を、予め複数記憶しておき、医療従事者がこれらの表示設定から利用したい設定を選ぶことで、１台の診療情報表示装置を複数の医療従事者で共用する場合など、同じ表示画面で診療情報を閲覧する医療従事者が変わるような場合であっても、各医療従事者ごとに最適化された表示設定を呼び出して利用することができるため、医療従事者の利便性を高めることができる。
【００１９】
前記表示領域に表示される診療情報について、該診療情報に含まれる情報項目に基づいて、表示領域内での表示位置を並べ替える並べ替え手段をさらに備えることが好ましい。
【００２０】
個々の表示領域に表示される診療情報は、その診療情報に含まれる情報項目、例えば、診療科、担当医師の氏名、患者の疾病の種類、検査の種類、患者の受診日時などの項目に基づいて、表示領域内での診療情報の表示位置を並べ替えることができる。これにより、医療従事者の診療情報の閲覧における利便性をより高めることができる。
【００２１】
さらに、本発明は、コンピュータ装置を、医療機関における患者の診療情報を表示部に表示する診療情報表示装置として機能させる診療情報表示プログラムであって、表示部の表示画面は、異なる種類の診療情報を表示する複数の表示領域から構成され、さらに、コンピュータ装置を、ユーザによる操作の入力を受け付ける操作入力受付手段と、操作入力受付手段により受け付けられた入力に応じて、複数の表示領域から任意の表示領域を選択する選択手段と、操作入力受付手段により受け付けられた入力に応じて、選択手段により選択された選択表示領域の表示画面上での表示位置を移動する表示位置移動手段と、表示位置移動手段により移動された選択表示領域の表示位置に応じて、該選択表示領域が配置される配置先の配置位置を特定する第一の配置位置特定手段と、第一の配置位置特定手段により特定された該配置位置に該選択表示領域を配置した場合に、該選択表示領域と、他の表示領域とが相互に重ならないように、他の表示領域の配置位置を調整する配置位置調整手段と、第一の配置位置特定手段により特定された該配置位置に該選択表示領域を配置する選択表示領域配置手段として機能させる、診療情報表示プログラムに関する。
【００２２】
さらに、本発明は、コンピュータ装置を、医療機関における患者の診療情報を表示部に表示する診療情報表示装置として機能させる診療情報表示プログラムであって、表示部の表示画面は、異なる種類の診療情報を表示する複数の表示領域から構成され、さらに、コンピュータ装置を、ユーザによる操作の入力を受け付ける操作入力受付手段と、操作入力受付手段により受け付けられた入力に応じて、複数の表示領域から任意の表示領域を選択する選択手段と、操作入力受付手段により受け付けられた入力に応じて、選択手段により選択された選択表示領域の表示画面上での表示形状及び／又は大きさを変更する表示形状変更手段と、表示形状変更手段により変更された選択表示領域の表示形状及び／又は大きさと表示位置とに応じて、該選択表示領域が配置される配置先の配置位置を特定する第二の配置位置特定手段と、第二の配置位置特定手段により特定された該配置位置に該選択表示領域を配置した場合に、該選択表示領域と、他の表示領域とが相互に重ならないように、他の表示領域の配置位置を調整する配置位置調整手段と、第二の配置位置特定手段により特定された該配置位置に該選択表示領域を配置する選択表示領域配置手段として機能させる、診療情報表示プログラムに関する。
【図面の簡単な説明】
【００２３】
【図１】本発明の実施の形態にかかる診療情報表示装置の構成を示す図である。
【図２】本発明の実施の形態にかかる所定の規則と、表示領域の優先順位とに関する画面表示例を示す図である。
【図３】本発明の実施の形態にかかる表示領域の初期配置の処理のフローチャートを示す図である。
【図４】本発明の実施の形態にかかる表示領域を移動する処理のフローチャートを示す図である。
【図５】本発明の実施の形態にかかる表示領域を移動する際の画面表示例を示す図である。
【図６】本発明の実施の形態にかかる表示領域を拡大する処理のフローチャートを示す図である。
【図７】本発明の実施の形態にかかる表示領域を拡大する際の画面表示例を示す図である。
【図８】本発明の実施の形態にかかる表示領域を縮小する際の画面表示例を示す図である。
【発明を実施するための形態】
【００２４】
以下に、本発明の実施の形態について、説明をする。図１は、本発明の実施の形態にかかる診療情報表示装置の構成を示すブロック図である。図示するように、診療情報表示装置１は、制御部１１、ＲＡＭ（Ｒａｎｄｏｍ  Ａｃｃｅｓｓ  Ｍｅｍｏｒｙ）１２、ハードディスク・ドライブ（ＨＤＤ）１３、入力部１４、表示部１５、通信インタフェース１６、配置情報データベース１７、及び、診療情報データベース１８からなり、それぞれ内部バスにより接続されている。
【００２５】
制御部１１は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）から構成される。制御部１１は、ＨＤＤ１３に格納されたプログラムを実行し、診療情報表示装置１の制御を行なう。ＲＡＭ１２は、制御部１１のワークエリアである。ＨＤＤ１３は、プログラムやデータを保存するための記憶領域である。診療情報の表示に必要なプログラムやデータは、ＨＤＤ１３や配置情報データベース１７、診療情報データベース１８などから読み出され、ＲＡＭ１２にロードされる。
【００２６】
制御部１１は、診療情報の表示に必要なプログラム及びデータをＲＡＭ１２から読み出して処理を行なう。制御部１１は、ＲＡＭ１２にロードされたプログラム及びデータを処理することで、複数の表示領域３０からなる表示内容を、表示部１５の表示画面１５ａに表示する。
【００２７】
入力部１４には、マウスやキーボード、タッチパネル等といった入力デバイスが具備されており、診療情報を閲覧するユーザである医療従事者等（以下、「ユーザ」という）からの操作入力が受け付けられる。制御部１１はこの入力に従って、表示部１５の表示内容を変更する処理等を行う。
【００２８】
表示部１５は、液晶画面、ＣＲＴ、電子ペーパー等の診療情報を表示するための表示画面１５ａを具備する。診療情報表示装置１の表示画面１５ａは、複数設けられていても良い。
【００２９】
通信インタフェース１６は、通信ネットワーク２と接続することにより、診療情報表示装置１以外のコンピュータと情報の送受信を行うものであって、例えば、後述する診療情報データベース１８を診療情報表示装置１以外の外部のサーバに設ける場合などに、そのサーバと診療情報等の情報の送受信を行うものである。
【００３０】
配置情報データベース１７は、表示画面１５ａ上に表示される複数の表示領域３０を配置するための情報であって、表示領域それぞれの表示形状、大きさ、位置等に関する情報からなる配置情報を記憶するデータベースである。
【００３１】
診療情報データベース１８は、患者の診療に関する情報である診療情報を記憶するものである。上述したように、この診療情報データベース１８を、診療情報表示装置１とは別のサーバに設け、通信インタフェース１６が通信ネットワーク２を介して診療情報を診療情報表示装置１が受信するようにすることもできる。
【００３２】
次に、複数の表示領域３０を表示画面１５ａ上に表示する際に用いられる所定の規則と、表示領域３０のそれぞれに設けられる優先順位とについて、図２を参照しつつ説明する。
【００３３】
図２（Ａ）は、表示画面１５ａ上に設けられた所定の規則の一例を示した図である。所定の規則とは、表示画面１５ａ上に複数の表示領域３０を配置して診療情報を表示する際に、表示領域３０を配置する位置を規定するための規則である。例えば、図２（Ａ）の場合の所定の規則とは、図２（Ｂ）に示されている表示領域３０ａの高さを最大の高さとし、図２（Ａ）に示したような順番で、縦３行に複数の表示領域３０を敷き詰めて表示する、という規則である。このような所定の規則に従い、複数の表示領域３０を、後述する各表示領域３０のそれぞれに設けられる優先順位の順に表示画面１５ａ上に配置することで、本発明の診療情報表示装置１の表示内容は構成される。
【００３４】
なお、所定の規則は、図２（Ａ）に示される上述したような規則に限定されることはなく、その配置レイアウトや配置順の方向などの規則は、ユーザによる入力部１４への操作入力に応じて自由に変更可能なものである。例えば、表示画面１５ａ上のスペースを複数の領域に分割して、それら複数の領域のそれぞれに配置順を設けても良いし、それらの分割された領域の中でさらに配置順のルールを設けたものであっても良い。この所定の規則は、ユーザが多くの情報から構成されている診療情報を見やすく配置することで、視認性を改善し、業務効率を向上させる等のものであれば、どのような規則であっても良いが、表示画面１５ａを有効に活用できるように、画面を隙間なく活用するようなものであることが好ましい。例えば、複数の表示領域３０を重ならないように、且つ、隙間が生じないように敷き詰めるという規則であれば、表示画面１５ａを無駄なく有効活用することができるため、好ましい。所定の規則は、ユーザの入力部１４からの操作入力に応じて変更することができ、所定の規則を変更した場合には、変更された新しい所定の規則に従って表示領域３０それぞれが再配置され、表示画面１５ａ上に表示される。
【００３５】
次に、優先順位について説明する。優先順位とは、上述したような所定の規則に従って表示領域３０を表示画面１５ａ上に配置する際に、どの表示領域３０から配置していくかの順番に関する順位である。複数の表示領域の配置については、初期設定が設けられている。この初期設定において配置されている各表示領域の位置と、上述した所定の規則とを参照することで、各表示領域の優先順位が導出される。例えば、初期設定が図２（Ｃ）に示すような配置である場合には、図２（Ａ）に示される所定の規則に基づいて、各表示領域３０について、図２（Ｂ）に示すように、各表示領域３０のそれぞれの優先順位は、ａ、ｂ、ｃ、ｄ、ｅ、ｆ、ｇ、ｈ・・・の順番であることが導出される。
【００３６】
ここで、所定の規則が変更されると、変更前の現在の優先順位と、変更された所定の規則とに基づいて、各表示領域３０のそれぞれが再配置されることとなる。
【００３７】
次に、本発明の診療情報表示装置において、各種診療情報を複数の表示領域に表示する際の処理について、図を参照しつつ説明する。図３は、本発明の実施の形態にかかる初期設定に基づいて表示領域を配置する処理のフローチャートを示す図である。
【００３８】
ユーザは、患者の診療、診療後のデータ入力、処方発行等に際して、患者の診療情報を閲覧するために、診療情報表示装置１を用いて表示画面１５ａに診療情報を表示する。まず、ユーザは、診療対象の患者に予め発行されている患者を特定するための患者ＩＤを患者から提示してもらい、入力部１４からこの患者ＩＤと、対応する患者の診療情報の表示を要求する表示要求とを入力する。診療情報表示装置１は、これらの入力を受け付け（ステップＳ１１）、入力された患者ＩＤをＨＤＤ１３等に記憶する（ステップＳ１２）。制御部１１は、この記憶された患者ＩＤに対応する診療情報を、診療情報データベース１８から抽出する（ステップＳ１３）。
【００３９】
制御部１１は、この抽出された診療情報を、予め配置情報データベース１７等に記憶された各表示領域３０の配列に関する初期設定に基づいて、例えば、図２（Ｃ）に示すように、表示画面１５ａ上に複数の表示領域３０のそれぞれを配置して、診療情報を複数の各表示領域３０に表示する（ステップＳ１４）。
【００４０】
次に、本発明の診療情報表示装置において、各種診療情報が複数の表示領域に表示された状態から、ある表示領域を表示画面上で移動する際の処理について、図を参照しつつ説明する。図４は、本発明の実施の形態にかかる表示領域を移動する処理のフローチャートを示す図である。また、図５は、本発明の実施の形態にかかる表示領域を移動する際の画面表示例を示す図である。
【００４１】
なお、この処理は、上述したステップＳ１１〜ステップＳ１４により、抽出された患者の診療情報を、予め記憶された初期配置に基づいて、図５（Ａ）に示すように、表示画面１５ａ上に配置された複数の表示領域３０に表示したところから開始される。なお、この例における所定の規則は、上述したように、図５（Ａ）に示されている表示領域３０ａの高さを最大の高さとし、図２（Ａ）に示したような順番で、縦３行に複数の表示領域３０を敷き詰めて表示する、という規則である。
【００４２】
ユーザは、この表示内容を閲覧して、表示領域３０のうちのいずれかの表示領域、例えば、図５（Ａ）の例では表示領域３０ｇについて、操作対象として選択する操作、例えば、マウス左ボタンの押下などの操作を入力部１４から入力する。診療情報表示装置１はこの選択を受け付ける（ステップＳ２１）。ユーザは、選択した表示領域の移動を指示する操作、例えば、ドラッグなどの操作を入力部１４から入力する。診療情報表示装置１はこの移動操作を受け付ける（ステップＳ２２）。表示画面１５ａ上では、ユーザからの入力に応じて表示領域３０ｇの移動がリアルタイムで表示されることが好ましい。
【００４３】
ユーザの操作入力に応じて選択された表示領域が、所定の位置まで移動すると（ステップＳ２３）、選択された表示領域の移動先の配置位置が特定される（ステップＳ２４）。
【００４４】
所定の位置とは、所定の規則に基づいて表示領域３０のそれぞれを配置する上で、その位置まで移動させると、移動される表示領域の配置位置を変更する必要が生じると判定される位置のことを示している。具体的には、例えば、移動される表示領域の中心の座標が、移動前の配置位置での表示領域外に出た場合など、移動される表示領域の位置を代表する座標をもとに、移動によってその表示領域の配置位置を変更する必要があると判定される位置のことであるが、本発明はこれに限定されることはなく、表示領域の移動に際して、移動させる表示領域の配置位置を変更させるか否かの境界を示す何らかの基準が設けられていればよい。
【００４５】
例えば、図５（Ｂ）の位置まで表示領域３０ｇを移動させた場合においては、表示領域３０ｇの移動先の配置位置として、図５（Ｃ）における配置位置３０ｇ’が特定される。
【００４６】
ステップＳ２４において、選択された表示領域の移動先の配置位置が特定されると、その特定された配置位置に選択された表示領域を移動した場合に、選択された表示領域と他の表示位置とが重なりを生じたり、選択された表示領域の移動に伴って空き部分が発生したりすることにより、他の表示領域の移動が必要となる。そこで、他の表示領域を移動させるために、まず、選択された表示領域以外の他の表示領域について、選択された表示領域の配置位置を移動する前のそれぞれの配置位置に応じて、それぞれの優先順位を特定する（ステップＳ２５）。
【００４７】
この優先順位は、上述したように、表示画面１５ａ上に設けられた所定の規則と、他の表示領域の元の配置位置とを用いて導出され、他の表示領域のそれぞれについて特定される。
【００４８】
例えば、図５（Ｂ）の状態では、選択された表示領域である表示領域３０ｇ以外の表示領域３０について、図５（Ａ）におけるそれぞれの表示位置と、所定の規則とから、優先順位がａ、ｂ、ｃ、ｄ、ｅ、ｆ、ｈ・・・の順に導出され、それぞれの優先順位が特定される。
【００４９】
ステップＳ２５において、他の表示領域それぞれの優先順位が特定されると、特定された優先順位と、それぞれの表示形状や大きさに従って、それら他の表示領域の再配置が行われ、表示画面１５ａ上に再配置結果が表示される（ステップＳ２６）。
【００５０】
優先順位が特定された他の表示領域それぞれは、選択された表示領域の移動先の配置位置以外の配置位置に再配置される。再配置は、上述したように、表示画面１５ａ上に設けられた所定の規則と、他の表示領域それぞれについて特定された優先順位とに従って行われる。
【００５１】
例えば、図５（Ｂ）に示す位置に表示領域３０ｇが移動されると、他の表示領域である表示領域３０ａ、３０ｂ、３０ｃ、３０ｄ、３０ｅ、３０ｆ、３０ｈ等について、優先順位がａ、ｂ、ｃ、ｄ、ｅ、ｆ、ｈ・・・の順に特定され、この特定された優先順位と、予め設けられた所定の規則とに従って、図５（Ｃ）に示すように、他の表示領域が表示領域３０ｇの新しい配置位置を除く場所にそれぞれ再配置され、表示される。
【００５２】
なお、この再配置後の表示は、図５（Ｃ）に示すように、表示領域３０ｇの表示位置の移動に伴って行われることが好ましい。つまり、表示領域３０ｇが新しい配置位置である配置位置３０ｇ’に移動されることが決定される前に、表示領域３０ｇ以外の他の表示領域がリアルタイムで移動することで、ユーザは表示領域３０ｇの移動による配置位置の変化がどのようになるかを前もって知ることができる。
【００５３】
ここで、ユーザの操作により、選択された表示領域の移動について、移動を決定する操作が入力されたかどうかの判定が行われる（ステップＳ２７）。この移動を決定する操作の入力とは、例えば、ユーザのマウス操作によりドラッグされていた表示領域を、移動先の場所でドロップする操作入力などが挙げられるが、本発明はこれに限定されることはなく、選択された表示領域の移動を決定することのできる操作入力であれば、他の操作入力であっても良い。
【００５４】
上述したステップＳ２７の判定において、選択された表示領域の移動を決定する操作が入力されるまでは、再びステップＳ２２に戻り、ユーザによる選択された表示領域の移動が継続される。ステップＳ２７の判定で、選択された表示領域の移動を決定する操作が入力されると、選択された表示領域をステップＳ２４において特定された移動先の表示位置に移動し、その結果である表示内容が表示されて（ステップＳ２８）、表示領域を移動する処理は終了する。
【００５５】
図５の例では、図５（Ｃ）の配置位置３０ｇ’に、選択された表示領域３０ｇの移動先が決定されている状態で、ドラッグしていた表示領域３０ｇをドロップすると、この操作入力により、表示領域３０ｇが配置位置３０ｇ’に移動され、表示される。
【００５６】
次に、本発明の診療情報表示装置において、各種診療情報を複数の表示領域に表示し、ある表示領域を表示画面上で拡大する際の処理について、図を参照しつつ説明する。図６は、本発明の実施の形態にかかる表示領域を拡大する処理のフローチャートを示す図である。また、図７は、本発明の実施の形態にかかる表示領域を拡大する際の画面表示例を示す図である。
【００５７】
なお、この処理は、上述したステップＳ１１〜ステップＳ１４により、抽出された患者の診療情報を、予め記憶された初期配置に基づいて、図７（Ａ）に示すように、表示画面１５ａ上に配置された複数の表示領域３０に表示したところから開始される。なお、この例における所定の規則は、上述したように、図７（Ａ）に示されている表示領域３０ａの高さを最大の高さとし、図２（Ａ）に示したような順番で、縦３行に複数の表示領域３０を敷き詰めて表示する、という規則である。
【００５８】
ユーザは、この表示内容を閲覧して、表示領域３０のうちのいずれかの表示領域、例えば、図７（Ａ）の例では表示領域３０ｄについて、操作対象として選択する操作、例えば、マウス左ボタンのクリックなどの操作を入力部１４から入力する。診療情報表示装置１はこの選択を受け付ける（ステップＳ３１）。ユーザは、選択した表示領域の拡大を指示する操作、例えば、表示領域３０ｄの外縁部におけるマウス左ボタンの押下からのドラッグなどの操作を入力部１４から入力する。診療情報表示装置１はこの拡大操作を受け付ける（ステップＳ３２）。表示画面１５ａ上では、ユーザからの入力に応じて表示領域３０ｄの拡大がリアルタイムで表示されることが好ましい。
【００５９】
ユーザの操作入力に応じて選択された表示領域が、所定の領域まで拡大されると（ステップＳ３３）、選択された表示領域の拡大後の配置位置が特定される（ステップＳ３４）。
【００６０】
所定の領域とは、所定の規則に基づいて表示領域３０のそれぞれを配置する上で、その領域まで選択された表示領域を拡大させると、拡大された表示領域の配置位置を変更する必要が生じると判定される領域のことを示している。具体的には、例えば、拡大された表示領域が他の表示領域と重なりを生じた場合や、所定の規則に基づいて拡大された表示領域と他の表示領域とを配置した場合にその配置位置が現在の配置位置とは異なる場合、また、拡大された表示領域内に他の表示領域の中心座標が入り、その他の表示領域を移動させることで、結果として拡大された表示領域の配置位置を変更すべき場合など、拡大される表示領域の表示形状、大きさ、表示位置などをもとに、この拡大によって拡大される表示領域の配置位置を変更する必要があると判定される領域のことであるが、本発明はこれに限定されることはなく、表示領域の拡大に際して、拡大される表示領域の配置位置を変更させるか否かの境界を示す何らかの基準が設けられていればよい。
【００６１】
例えば、図７（Ｂ）の領域まで表示領域３０ｄを拡大した場合においては、表示領域３０ｄの配置位置の変更先として、図５（Ｃ）における配置位置３０ｄ’が特定される。
【００６２】
ステップＳ３４において、選択された表示領域の拡大後の配置位置が特定されると、その特定された配置位置に選択された表示領域を移動した場合に、選択された表示領域と他の表示位置とが重なりを生じたり、選択された表示領域の移動に伴って空き部分が発生したりすることにより、他の表示領域の移動が必要となる。そこで、他の表示領域を移動させるために、まず、選択された表示領域以外の他の表示領域について、選択された表示領域を拡大する前のそれぞれの配置位置に応じて、それぞれの優先順位を特定する（ステップＳ３５）。
【００６３】
この優先順位は、上述したように、表示画面１５ａ上に設けられた所定の規則と、他の表示領域の元の配置位置とを用いて導出され、他の表示領域のそれぞれについて特定される。
【００６４】
例えば、図７（Ｂ）の状態では、選択された表示領域である表示領域３０ｄ以外の表示領域３０について、図７（Ａ）におけるそれぞれの表示位置と、所定の規則とから、優先順位がａ、ｂ、ｃ、ｅ、ｆ、ｇ、ｈ・・・の順に導出され、それぞれの優先順位が特定される。
【００６５】
ステップＳ３５において、他の表示領域それぞれの優先順位が特定されると、特定された優先順位と、それぞれの表示形状や大きさに従って、それら他の表示領域の再配置が行われ、表示画面１５ａ上に再配置結果が表示される（ステップＳ３６）。
【００６６】
優先順位が特定された他の表示領域それぞれは、選択された表示領域の拡大後の配置位置以外の配置位置に再配置される。再配置は、上述したように、表示画面１５ａ上に設けられた所定の規則と、他の表示領域それぞれについて特定された優先順位とに従って行われる。
【００６７】
例えば、図７（Ｂ）に示すように表示領域３０ｄが拡大されると、他の表示領域である表示領域３０ａ、３０ｂ、３０ｃ、３０ｅ、３０ｆ、３０ｇ、３０ｈ等について、優先順位がａ、ｂ、ｃ、ｅ、ｆ、ｇ、ｈ・・・の順に特定され、この特定された優先順位と、予め設けられた所定の規則とに従って、図７（Ｃ）に示すように、他の表示領域が表示領域３０ｄの新しい配置位置３０ｄ’を除く場所にそれぞれ再配置され、表示される。なお、表示領域３０ｆと表示領域３０ｅが、図７（Ｃ）に示すような位置に配置されるのは、所定の規則において、表示画面１５ａ上に表示領域３０をできるだけ隙間なく敷き詰めるという規則が設けられているために、表示領域３０ｆの配置位置が図７（Ｃ）に示した位置となった結果である。
【００６８】
なお、この再配置後の表示は、表示領域３０ｄの表示領域の拡大に伴って行われることが好ましい。つまり、表示領域３０ｄが新しい配置位置である配置位置３０ｄ’に移動されることが決定される前に、表示領域３０ｄ以外の他の表示領域がリアルタイムで移動することで、ユーザは表示領域３０ｄの拡大による配置位置の変化がどのようになるかを前もって知ることができる。
【００６９】
ここで、ユーザの操作により、選択された表示領域の拡大について、拡大を決定する操作が入力されたかどうかの判定が行われる（ステップＳ３７）。この拡大を決定する操作の入力とは、例えば、ユーザのマウス操作により外縁部をドラッグされていた表示領域ｄを、拡大したい大きさになった時点でドロップする操作入力などが挙げられるが、本発明はこれに限定されることはなく、選択された表示領域の拡大を決定することのできる操作入力であれば、他の操作入力であっても良い。
【００７０】
上述したステップＳ３７の判定において、選択された表示領域の拡大を決定する操作が入力されるまでは、再びステップＳ３２に戻り、ユーザによる選択された表示領域の拡大操作が継続される。ステップＳ３７の判定で、選択された表示領域の拡大を決定する操作が入力されると、選択された表示領域をステップＳ３４において特定された拡大後の表示位置に移動し、その結果である表示内容が表示されて（ステップＳ３８）、表示領域を拡大する処理は終了する。
【００７１】
図７の例では、図７（Ｃ）の配置位置３０ｄ’に、選択された表示領域３０ｄの拡大後の移動先が決定されている状態で、ドラッグしていた表示領域３０ｄをドロップすると、この操作入力により、表示領域３０ｄが配置位置３０ｄ’に移動され、表示される。
【００７２】
次に、本発明の診療情報表示装置において、各種診療情報を複数の表示領域に表示し、ある表示領域を表示画面上で縮小する際の処理について、図を参照しつつ説明する。図８は、本発明の実施の形態にかかる表示領域を縮小する際の画面表示例を示す図である。
【００７３】
なお、この処理は、上述したステップＳ１１〜ステップＳ１４により、抽出された患者の診療情報を、予め記憶された初期配置に基づいて、図８（Ａ）に示すように、表示画面１５ａ上に配置された複数の表示領域３０に表示したところから開始される。なお、この例における所定の規則は、上述したように、図８（Ａ）に示されている表示領域３０ａの高さを最大の高さとし、図２（Ａ）に示したような順番で、縦３行に複数の表示領域３０を敷き詰めて表示する、という規則である。
【００７４】
ユーザは、この表示内容を閲覧して、表示領域３０のうちのいずれかの表示領域、例えば、図８（Ａ）の例では表示領域３０ｃについて、操作対象として選択する操作、例えば、マウス左ボタンのクリックなどの操作を入力部１４から入力する。ユーザは、選択した表示領域の縮小を指示する操作、例えば、外縁部におけるマウス左ボタンの押下からのドラッグなどの操作を入力部１４から入力する。表示画面１５ａ上では、ユーザからの入力に応じて表示領域３０ｃの縮小がリアルタイムで表示されることが好ましい。
【００７５】
ユーザの操作入力に応じて選択された表示領域が、所定の領域まで縮小されると、選択された表示領域の縮小後の配置位置が特定される。所定の領域とは、上述した表示領域の拡大の際と同様に、所定の規則に基づいて表示領域３０のそれぞれを配置する上で、その領域まで選択された表示領域を縮小させると、縮小された表示領域の配置位置を変更する必要が生じると判定される位置のことを示している。
【００７６】
例えば、図８（Ｂ）に示された領域まで表示領域３０ｃを縮小した場合においては、表示領域３０ｃの配置位置の変更先として、図８（Ｃ）における配置位置３０ｃ’が特定される。選択された表示領域の縮小後の配置位置が特定されると、その特定された配置位置に選択された表示領域を移動した場合に、選択された表示領域と他の表示位置とが重なりを生じたり、選択された表示領域の移動に伴って空き部分が発生したりすることにより、他の表示領域の移動が必要となる。そこで、他の表示領域を移動させるために、まず、選択された表示領域以外の他の表示領域について、選択された表示領域の配置位置を移動する前のそれぞれの配置位置に応じて、それぞれの優先順位を特定する。この優先順位は、上述したように、表示画面１５ａ上に設けられた所定の規則と、他の表示領域の元の配置位置とを用いて導出され、他の表示領域のそれぞれについて特定される。
【００７７】
例えば、図８（Ｂ）の状態では、選択された表示領域である表示領域３０ｃ以外の表示領域３０について、図８（Ａ）におけるそれぞれの表示位置と、所定の規則とから、優先順位がａ、ｂ、ｄ、ｅ、ｆ、ｇ、ｈ・・・の順に導出され、それぞれの優先順位が特定される。他の表示領域それぞれの優先順位が特定されると、特定された優先順位と、それぞれの表示形状や大きさに従って、それら他の表示領域の再配置が行われ、表示画面１５ａ上に再配置結果が表示される。
【００７８】
例えば、図８（Ｂ）に示すように表示領域３０ｃが縮小されると、他の表示領域について優先順位が特定され、この特定された優先順位と、予め設けられた所定の規則とに従って、図７（Ｃ）に示すように、他の表示領域が表示領域３０ｃの新しい配置位置３０ｃ’を除く場所にそれぞれ再配置され、表示される。なお、表示領域３０ｆが図８（Ｃ）に示すような位置に配置されるのは、所定の規則において、表示画面１５ａ上に表示領域３０をできるだけ隙間なく敷き詰めるという規則が設けられているためである。
【００７９】
なお、この再配置後の表示は、表示領域３０ｃの表示領域の縮小に伴って行われることが好ましい。つまり、表示領域３０ｃが新しい配置位置である配置位置３０ｃ’に移動されることが決定される前に、表示領域３０ｃ以外の他の表示領域がリアルタイムで移動することで、ユーザは表示領域３０ｃの縮小による配置位置の変化がどのようになるかを前もって知ることができる。
【００８０】
ここで、ユーザの操作により、選択された表示領域の縮小について、縮小を決定する操作が入力されたかどうかの判定が行われる。選択された表示領域の縮小を決定する操作が入力されるまでは、ユーザによる選択された表示領域の縮小操作が継続される。選択された表示領域の縮小を決定する操作が入力されると、選択された表示領域を新しい配置位置に移動し、その結果である表示内容が表示されて、表示領域を縮小する処理は終了する。
【００８１】
図８の例では、図８（Ｃ）の配置位置３０ｃ’に、選択された表示領域３０ｃの縮小後の移動先が決定されている状態で、外縁部をドラッグしていた表示領域３０ｃをドロップすると、この操作入力により、表示領域３０ｃが配置位置３０ｃ’に移動され、表示される。
【００８２】
なお、上述した例においては、表示領域３０として四角い形状を用いる例を挙げたが、本発明はこれに限定されることはなく、例えば、内視鏡映像を表示する表示領域などにおいては、円形の表示領域であっても良く、その他の診療情報を表示する表示領域３０についても、ユーザからの操作入力に応じて任意の形状をとることができる。この際の表示画面上での表示領域３０の自動整列は、上述したような表示領域の移動・拡大・縮小における処理と同様の処理によって、実現される。
【００８３】
また、上述した例においては、ユーザによる操作入力に応じて表示領域３０それぞれの配置位置を変更するものであったが、これに代わり、所定の規則を変更するように構成することもできる。例えば、Ａｌｔキー等を押しながら表示領域３０をドラッグ＆ドロップすることで所定の規則を変更するように構成しても良いし、所定の規則を変更するための設定画面を別途設けて表示し、この設定画面において所定の規則や配置位置に関する初期設定を変更するようにしても良い。
【００８４】
また、各表示領域３０の領域内に表示される診療情報は、その診療情報に含まれる、診療科、診療を行った医師、患者の疾病、検査の種類、診療を行った日時などの情報項目に基づいて、表示領域内での表示位置を変更することができる。これにより、診療情報の表示について、ユーザの利便性をより高め、ユーザの業務効率を向上させることができる。例えば、ある患者の血液検査結果や画像診断結果などを、ある表示領域３０の領域内に、時系列で一列に配置させることで、症状の変化を視認しやすくしたり、総合病院の複数科にまたがる診療情報から、特定の診療科での診療情報だけを抽出して診療日時でソートされた表示をさせたり、患者への処方内容を時系列に配列し、スクロールバーなどを用いることで、その患者の状態について時系列を追っての閲覧を容易にしたりすること等が可能となる。
【００８５】
さらに、本発明においては、所定の規則、表示領域３０それぞれの表示形状、大きさ、配置位置などに関する配置情報を、配置情報データベース１７に記憶することができる。これにより、ユーザ個々人が、自分の業務に合った見やすい表示内容にするための配置情報を記憶させ、診療情報の閲覧時にこの配置情報を呼び出すことで、各ユーザの好みに合った表示内容を簡単に再現することができる。この配置情報の記憶は、各ユーザ毎、診療科毎などに記憶でき、また、１ユーザが複数のパターンの配置情報を記憶させ、これらの中から任意の配置情報を選択し、適宜使い分けることで、ユーザの利便性をより高めることもできる。
【符号の説明】
【００８６】
１      医療情報表示装置
１１    制御部
１２    ＲＡＭ
１３    ＨＤＤ
１４    入力部
１５    表示部
１５ａ  表示画面
１６    通信インタフェース
１７    配置情報データベース
１８    診療情報データベース
２      通信ネットワーク
３０    表示領域
【図１】
2018032107.tif 000003
【図２】
2018032107.tif 000004
【図３】
2018032107.tif 000005
【図４】
2018032107.tif 000006
【図５】
2018032107.tif 000007
【図６】
2018032107.tif 000008
【図７】
2018032107.tif 000009
【図８】
2018032107.tif 000010